(57)【特許請求の範囲】
【請求項１】
所望する設定値に所定の第１伝達関数を施して目標値を生成する目標値生成部と、
前記目標値から実測値を減算した偏差に所定の第２伝達関数を施して操作量を導出するフィードバック制御機能部と、
前記偏差に基づくゲイン補正係数を、前記フィードバック制御機能部の操作量に乗算するゲイン補正機能部と、
を備え、
前記第１伝達関数は、ユーザによる操作入力に応じて設定された複数の目標点に基づき、隣接する目標点同士を結線して形成されることを特徴とする制御装置。
【請求項２】
前記第１伝達関数は、前記複数の目標点それぞれにおいて、該目標点を端点とする２つの結線が成す角に、漸減関数または漸増関数による丸め処理が施されて形成されることを特徴とする請求項１に記載の制御装置。
【請求項３】
前記ゲイン補正機能部は、前記偏差が０のときにゲイン補正係数を１とし、前記偏差が正の方に大きくなるにつれゲイン補正係数を大きくし、前記偏差が負の方に大きくなるにつれゲイン補正係数を小さくすることを特徴とする請求項１または２に記載の制御装置。
【請求項４】
水蒸気の存在下で流動媒体の熱によりガス化原料をガス化させてガス化ガスを生成すると共に、該流動媒体と未反応のチャーを導出するガス化炉と、
前記流動媒体の存在下で未反応のチャーを燃焼して該流動媒体を加熱し、加熱された該流動媒体と燃焼ガスとを導出する燃焼炉と、
前記流動媒体と前記燃焼ガスとを分離し、該流動媒体を前記ガス化炉に導入する媒体分離器と、
を備える循環流動層ガス化システムに用いられ、
前記設定値は、前記流動媒体を流動させるために必要な前記燃焼炉に供給する空気の供給量であり、前記実測値は、該燃焼炉に供給される空気の流量の測定値であり、前記操作量は、該燃焼炉に空気を供給する制御弁の開度であることを特徴とする請求項１から３のいずれか１項に記載の制御装置。
【発明の詳細な説明】
【技術分野】
【０００１】
本発明は、フィードバック制御を伴う制御装置に関する。
【背景技術】
【０００２】
近年、石油に代えて、石炭やバイオマス、タイヤチップ等の固体原料をガス化してガス化ガスを生成する技術が開発されている。このようにして生成されたガス化ガスは、石炭ガス化複合発電（ＩＧＣＣ: Integrated coal Gasification Combined Cycle）といった効率的な発電システムや、水素の製造、合成燃料（合成石油）の製造、化学肥料（尿素）等の化学製品の製造等に利用されている。ガス化ガスの原料となる固体原料のうち、特に石炭は、可採年数が１５０年程度と、石油の可採年数の３倍以上であり、また、石油と比較して埋蔵地が偏在していないため、長期に亘り安定供給が可能な天然資源として期待されている。
【０００３】
このような石炭のガス化プロセスは、酸素や空気を用いて部分酸化することにより行われていたが、２０００℃といった高温で部分酸化する必要があるため、ガス化炉のコストが高くなるといった欠点を有していた。この問題を解決するために、水蒸気を利用し、７００℃〜９００℃程度で石炭をガス化する技術が開発されている。
【０００４】
例えば、循環流動層ガス化システムでは、水蒸気の存在下で流動する流動媒体（例えば砂）の熱によりガス化原料をガス化させ、ガス化炉から導出された流動媒体は、燃焼炉で加熱され、再びガス化炉へ導入される。このように循環流動層ガス化システムでは、流動媒体は燃焼炉とガス化炉とを循環する。その流動媒体の循環速度は、燃焼炉に供給される空気の供給流量によって制御されている。
【０００５】
このような空気の供給流量の制御系におけるＰＩＤゲインは、所定の制御状態、例えば、流動媒体が燃焼炉とガス化炉とを循環する定格状態（空気流量＝大）に対して定められているので、制御状態が異なると、例えば、ガス化を実行する前段階において燃焼炉内で流動媒体を加熱する準備状態（空気流量＝小）では、定格状態に適応したＰＩＤゲインが却って適切な制御の弊害になることもあった。例えば、ＰＩＤゲインが制御状態に適切に対応していないと、設定値に対して実測値がオーバーシュートすることもあった。かかる問題を解決すべく、オーバーシュートが発生した後、ＰＩＤゲインに１より小さい補正係数を乗算する技術が開示されている（例えば、特許文献１）。また、電動機において、目標とする設定値と実測値との回転偏差に応じＰＩＤゲインすべてに関する制御ゲインを変更する技術が開示されている（例えば、特許文献２）。
【先行技術文献】
【特許文献】
【０００６】
【特許文献１】特開２００４−１１６４６７号公報
【特許文献２】特開２００６−０７４９３６号公報
【発明の概要】
【発明が解決しようとする課題】
【０００７】
しかし、特許文献１に示された技術では、オーバーシュートが生じてからはじめてゲインに補正係数を乗算するため、オーバーシュートへの対応が遅くなり、抑制効果が低い。また、設定値に対して実測値の追従性が遅いと、オーバーシュートし易くなり、さらに、オーバーシュートしてから一律に１以下の補正係数を乗算していたのでは、オーバーシュートを小さくする制御処理の効果を減退させてしまうことにもなり、安定した制御が却って阻害されるおそれもあった。一方、特許文献２に示された技術は、あくまで設定値に対するオーバーシュートの抑制を目的とし、設定値から直接実測値を減算した値に応じて１以下の制御ゲインを乗じているので、制御量が大きくなり、オーバーシュートの抑制効果に乏しかった。
【０００８】
そこで、発明者は、設定値に応じた適切な目標値と適切なゲイン補正とを通じて、制御対象の安定化制御を可能とした。ここでは、所望する設定値から目標値を生成する伝達関数として、一次遅れ関数といった簡易な伝達関数を用いることで、安定した制御を実現している。しかし、一般的な制御対象は、一次遅れ関数といった簡易な伝達関数で近似できるが、制御対象が特殊であると、そのような伝達関数で近似できないこともあり、他の伝達関数を用いざるを得ない場合もある。また、簡易とはいっても制御状態によって時定数の変更を要することとなる。さらに、上記の伝達関数を完全に自動化してしまうと、操作員が目標値の推移を直感的に把握し難いといった課題もあった。
【０００９】
本発明は、このような課題に鑑み、設定値に応じた適切な目標値と適切なゲイン補正とを通じて制御対象の安定した制御を実現すると共に、目標値の推移を操作員によって容易に設定することが可能な、制御装置を提供することを目的としている。
【課題を解決するための手段】
【００１０】
上記課題を解決するために、本発明の制御装置は、所望する設定値に所定の第１伝達関数を施して目標値を生成する目標値生成部と、目標値から実測値を減算した偏差に所定の第２伝達関数を施して操作量を導出するフィードバック制御機能部と、偏差に基づくゲイン補正係数を、フィードバック制御機能部の操作量に乗算するゲイン補正機能部とを備え、第１伝達関数は、ユーザによる操作入力に応じて設定された複数の目標点に基づき、隣接する目標点同士を結線して形成されることを特徴とする。
【００１１】
第１伝達関数は、複数の目標点それぞれにおいて、目標点を端点とする２つの結線が成す角に、漸減関数または漸増関数による丸め処理が施されて形成される。
【００１２】
ゲイン補正機能部は、偏差が０のときにゲイン補正係数を１とし、偏差が正の方に大きくなるにつれゲイン補正係数を大きくし、偏差が負の方に大きくなるにつれゲイン補正係数を小さくするとしてもよい。
【００１３】
水蒸気の存在下で流動媒体の熱によりガス化原料をガス化させてガス化ガスを生成すると共に、流動媒体と未反応のチャーを導出するガス化炉と、流動媒体の存在下で未反応のチャーを燃焼して流動媒体を加熱し、加熱された流動媒体と燃焼ガスとを導出する燃焼炉と、流動媒体と燃焼ガスとを分離し、流動媒体をガス化炉に導入する媒体分離器とを備える循環流動層ガス化システムに用いられ、設定値は、流動媒体を流動させるために必要な燃焼炉に供給する空気の供給量であり、実測値は、燃焼炉に供給される空気の流量の測定値であり、操作量は、燃焼炉に空気を供給する制御弁の開度であってもよい。
【発明の効果】
【００１４】
本発明では、設定値に応じた適切な目標値と適切なゲイン補正とを通じて制御対象の安定した制御を実現すると共に、目標値の推移を操作員によって容易に設定することが可能となる。
【図面の簡単な説明】
【００１５】
【図１】循環流動層ガス化システムを説明するための機能ブロック図である。
【図２】制御装置の制御系を説明するための制御ブロック図である。
【図３】操作入力部を通じた第１伝達関数の形成を説明するための説明図である。
【図４】操作入力部の丸め処理を説明するための説明図である。
【図５】補正ＭＡＰ部におけるゲイン補正係数のＭＡＰを説明するための説明図である。
【図６】制御装置を動作させたときの制御推移の一例を示した説明図である。
【図７】循環流動層ガス化システムを用いた制御方法の処理の流れを示すフローチャートである。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
本実施形態では、制御装置の制御対象として、循環流動層ガス化システム１００、特に、二塔式の流動層ガス化炉とも称される循環流動層ガス化システム１００を挙げる。循環流動層ガス化システム１００では、ガス化炉と燃焼炉との間を流動媒体（例えば、硅砂（珪砂）等の砂）が熱媒体として循環する。制御装置は、このように流動する流動媒体の流速を制御する役割を担う。
【００１８】
（循環流動層ガス化システム１００）
図１は、本実施形態にかかる循環流動層ガス化システム１００を説明するための機能ブロック図である。循環流動層ガス化システム１００は、ガス化原料供給部１０８と、ガス化炉１１０と、改質炉１１２と、燃焼炉１１４と、媒体分離器１１６と、誘引通風器１１８と、燃焼炉空気導入部１２０と、制御弁１２２と、空気流量測定部１２４と、操作入力部１２６と、制御装置１２８と、蒸気供給装置１３０とを含んで構成される。また、図１において、実線矢印は物質の流れを、破線矢印は制御信号の流れを示している。
【００１９】
ガス化原料供給部１０８は、褐炭等の石炭、石油コークス（ペトロコークス）、バイオマス、タイヤチップ等の固体原料や、黒液等液体原料といったガス化原料をガス化炉１１０に供給する。
【００２０】
ガス化炉１１０では、流動媒体としての砂が、ガス化炉１１０の上方から導入される。また、ガス化炉１１０では、蒸気供給装置１３０が、ガス化炉１１０の下方から水蒸気を導入することで流動層（バブリング流動層）が形成される。そして、ガス化原料供給部１０８から流動層の上流側にガス化原料が供給されると、そのガス化原料が、水蒸気の存在下、７００℃〜９００℃で還元反応によりガス化され（水蒸気ガス化）、ガス化ガスが生成される。ガス化原料が石炭である場合、ガス化ガスは、水素、一酸化炭素、二酸化炭素、メタンを主成分とし、タール、窒素や窒素化合物、硫黄や硫黄化合物を少量含んでいる。
【００２１】
なお、ここでは、循環流動層方式のガス化炉１１０を例に挙げて説明するが、ガス化原料をガス化するガス化炉であれば、単なる流動層方式のガス化炉や、砂が自重で鉛直下方向に流下することで移動層を形成する移動層方式のガス化炉であってもよい。
【００２２】
また、ガス化炉１１０内で流動層を形成し、ガス化反応を終えた流動媒体は、未反応のガス化原料であるチャー（石炭に限らずバイオマス等ガス化原料の残渣）と共に燃焼炉１１４に導入される。
【００２３】
改質炉１１２は、ガス化炉１１０で生成されたガス化ガスを９００℃〜１５００℃に加熱し酸素や空気を加え、ガス化ガスに含まれるタールを改質（酸化改質）する。改質炉１１２で改質されたガス化ガスは、後段の処理部において、さらに、粉塵、硫黄、アンモニア、塩素が除去され（精製され）、精製ガス化ガスとなる。
【００２４】
燃焼炉１１４は、鉛直方向に延びる筒形状で形成され、導入された流動媒体を、同じく導入されたチャーおよび追加された補助燃料の燃焼によって加熱し、さらに空気が供給されて燃焼炉１１４上方に高速に流動化させる。
【００２５】
媒体分離器（サイクロン）１１６は、燃焼炉１１４で１０００℃程度に加熱された、流動媒体と燃焼ガスとを分離し、流動媒体を降下させてガス化炉１１０に導入する。また、媒体分離器１１６で分離された燃焼ガスは、誘引通風器（ＩＤＦ：Induced Draft Fan）１１８に誘引され、ボイラ等で熱回収される。
【００２６】
こうして、流動媒体は、ガス化炉１１０、燃焼炉１１４、媒体分離器１１６を循環する。このとき、流動媒体は、ガス化原料の流動量（ガス化ガスの生成量）を調整すべく、燃焼炉１１４において、その流速が調整される。
【００２７】
燃焼炉空気導入部（ＦＤＦ（押込送風機）：Forced Draft Fan）１２０は、燃焼炉１１４内に導入されたチャーや補助燃料を燃焼させるべく、また、燃焼炉１１４内に導入された流動媒体を上方に流動化させるべく、燃焼炉１１４内に、制御弁１２２を通じて鉛直下方から空気を供給する。
【００２８】
空気流量測定部１２４は、燃焼炉空気導入部１２０から燃焼炉１１４に供給される空気の流量を測定して、空気流量の実測値を生成する。
【００２９】
操作入力部１２６は、液晶ディスプレイ、有機ＥＬ(Electro Luminescence)ディスプレイ等の表示部と、キーボード、ポインティングデバイス、十字キー、ジョイスティック、ジョグダイヤル、タッチパネル等の操作部とで構成され、操作員（ユーザ）の操作入力を受け付ける。操作入力部１２６としては、例えば、既存のＳＣＡＤＡ（Supervisory Control And Data Acquisition）等を用いることができる。操作入力部１２６では、流動媒体を流動させるために必要な燃焼炉１１４に供給する空気の供給量である設定値や、後述する第１伝達関数の形成に用いられる複数の目標点が入力され、その設定値や複数の目標点に基づく軌跡によって形成される第１伝達関数等が制御装置１２８に送信される。
【００３０】
制御装置１２８は、設定値と、空気流量測定部１２４が測定した空気の流量の実測値（測定値）とに基づいて、操作量を導出し、かかる操作量に応じて燃焼炉１１４に空気を供給する制御弁１２２の開度を調整する。
【００３１】
（１）このような制御系においては、実測値をフィードバックして設定値から減算し、その偏差を利用して操作量を導出する。しかし、設定値から実測値を単純に減算する制御系では、設定値が段階的に変化した場合の初期の偏差が大きくなり、制御対象によってはオーバーシュートを引き起こす要因になっていた。
【００３２】
また、（２）制御系の伝達関数には、一般的にＰＩＤ制御が用いられることが多い。しかし、このような空気の供給流量の制御におけるＰＩＤゲインは、制御状態によってＰＩＤ制御の適切なパラメータが異なる場合もある。例えば、流動媒体が燃焼炉１１４とガス化炉１１０とを循環する制御状態（空気流量＝大）と、ガス化を実行する前段階において燃焼炉１１４内で流動媒体を混流させながら加熱する制御状態（空気流量＝小）とでは、適切なパラメータが異なるため、一方を定格状態としてパラメータを固定してしまうと、他方に対応できないといった問題が生じ得る。
【００３３】
さらに、（３）たとえ、制御状態に応じてパラメータを変更する構成を設けたとしても、その変更タイミングや外乱によって、空気の流量が所望した流量と異なる流量で推移することもあり、かかる偏差に応じてオーバーシュートが生じる場合もあった。そこで、本実施形態では、制御装置１２８を以下のように構成する。
【００３４】
図２は、制御装置１２８の制御系を説明するための制御ブロック図である。制御装置１２８は、目標値生成部１４０と、フィードバック制御機能部１４２と、ゲイン補正機能部１４４とを含んで構成される。
【００３５】
目標値生成部１４０は、所望する設定値に所定の第１伝達関数を施して目標値を生成する。具体的に、目標値生成部１４０は、例えば、入力信号に一次遅れ関数を施す一次遅れフィルタ１５２で構成される。したがって、本例において第１伝達関数は、一次遅れ関数で構成されることとなる。一次遅れ関数の時定数は、制御対象の検証において決定される。
【００３６】
通常、制御対象は遅延を伴うため、設定値がステップ入力されても制御対象がその設定値に追従できず、特に、設定値が変化した直後は偏差が大きくなる傾向にある。そこで、制御対象を、一次遅れ関数で近似させることで、制御対象の応答に近似した目標値を予め生成して制御入力とすることができる。こうすることで、設定値が段階的に変化しても、目標値と実測値との偏差を抑えることが可能となり、（１）設定値が段階的に変化した場合の初期の偏差による設定値に対するオーバーシュートを回避することができる。
【００３７】
ここでは、設定値に対するオーバーシュートが生じない程度に、目標値が制御対象の応答（実測値）に近似していれば足りる。一般的な制御対象は、一次遅れ関数のような簡易な関数で近似でき、制御対象の厳密なモデル化は必要ない。したがって、追加のコストを伴わず、また、困難なモデル化を行うことなく、時定数といった簡易な数値の設定のみで初期の偏差による設定値に対するオーバーシュートを回避することが可能となる。
【００３８】
ここでは、一次遅れ関数を用いて目標値を決定しているが、目標値生成部１４０の構成はかかる場合に限られず、リミッタ関数といった、簡易な関数を用いることが可能である。
【００３９】
上述したように、一般的な制御対象は、一次遅れ関数といった簡易な伝達関数で近似できるが、制御対象が特殊であると、そのような伝達関数で近似できないこともある。また、簡易とはいっても制御状態によって遅延時間や時定数の変更を要することとなるので少々手間もかかる。さらに、上記の伝達関数を完全に自動化してしまうと、操作員が目標値の推移を直感的に把握することができなかった。そこで、本実施形態では、一次遅れ関数から第１伝達関数を形成するのみならず、操作入力部１２６を通じた操作員の操作入力に応じて、任意に第１伝達関数を形成する例を挙げる。
【００４０】
図３は、操作入力部１２６を通じた第１伝達関数の形成を説明するための説明図である。操作入力部１２６の表示部には図３（ａ）に示すようにグラフ上に設定値が表示されているとする。操作員は、その表示部に重畳されたタッチパネルの適当な点を押止して、図３（ｂ）の如く、時点と空気流量とを特定可能なグラフ上の複数の位置に目標点を設定する。このような目標点の設定が完了すると、その目標点間は図３（ｃ）のように結線され、その軌跡が第１伝達関数（目標値の軌跡）となる。ここでは、目標点として４つの点を設定しているが、目標点の数はかかる場合に限らず、任意の数、設定することができる。
【００４１】
さらに、第１伝達関数は、複数の目標点それぞれにおいて、目標点を端点とする２つの結線が成す角に漸減関数または漸増関数による丸め処理が施されて形成されてもよい。ここで、漸減関数は、その傾き（接線）が徐々に減る関数であり、漸増関数は、その傾き（接線）が徐々に増える関数である。
【００４２】
図４は、操作入力部１２６の丸め処理を説明するための説明図である。上述した操作員による操作入力に応じて図４（ａ）に示す第１伝達関数の軌跡が形成されたとする。操作入力部１２６は、操作員が設定したすべての目標点に関して当該丸め処理を実行するが、ここでは、説明の便宜上、任意の目標点１７０と、その目標点１７０を端点とする２本の結線１７２ａ、１７２ｂについて説明する。
【００４３】
任意の目標点１７０を端点とする２本の結線１７２ａ、１７２ｂは、目標点１７０において角を成している。ここでは、２本の結線１７２ａ、１７２ｂの１０％〜９０％の位置に相当する直線はそのまま残して、０〜１０％と９０〜１００％の位置に相当する直線を漸減関数または漸増関数を用いて曲線化する。例えば、図４（ａ）に示す拡大図では、結線１７２ａの９０％に相当する位置までの直線はそのままにしておき、９０％の位置から、結線１７２ｂの１０％に相当する位置まで、結線１７２ａの傾きが緩やかに漸減する漸減関数によって曲線を形成し、その曲線の最終的な傾きは結線１７２ｂの傾きとする。そうすることで、結線１７２ｂと結線１７２ｂとが角を成すことなく緩やかな傾斜を伴って連続することとなる。
【００４４】
このような丸め処理をすべての目標点に施すことで、第１伝達関数は、図４（ｂ）のようスムーズな曲線となる。操作入力部１２６は、このように加工した第１伝達関数の軌跡を制御装置１２８に送信することで、最適な目標値を形成することが可能となる。
【００４５】
フィードバック制御機能部１４２は、目標値から実測値を減算した偏差に所定の第２伝達関数を施して操作量を導出する。具体的に、フィードバック制御機能部１４２は、図２に示すように、目標値から実測値を減算して偏差を生成する減算器１５４と、偏差を微分して微分値を生成する微分器１５６と、偏差を積分して積分値を生成する積分器１５８と、微分値と積分値と偏差とを加算する加算器１６０と、制御状態に応じた、即ち、設定値に応じた適切なパラメータを抽出するゲインＭＡＰ部１６２と、微分値と積分値と偏差との加算値と、抽出したパラメータとを乗算する乗算器１６４とを含んで構成される。ここでは、第２伝達関数として、微分器１５６と積分器１５８とゲインＭＡＰ部１６２とによるＰＩＤを挙げているが、かかる場合に限らず、様々な伝達関数を用いることができる。
【００４６】
また、ゲインＭＡＰ部１６２は、設定値に応じて、乗算するパラメータを抽出するため、例えば、（２）制御状態が変化したとしても、それぞれの制御状態に適切に対応したパラメータが設定されるので、実測値が目標値と大きく偏差することなく、高い追従性を維持することが可能となる。
【００４７】
ゲイン補正機能部１４４は、偏差に基づくゲイン補正係数を、フィードバック制御機能部１４２の操作量に乗算する。具体的に、ゲイン補正機能部１４４は、偏差に応じたゲイン補正係数を抽出する補正ＭＡＰ部１６６と、ゲイン補正係数と操作量とを乗算して新たな操作量を生成する乗算器１６８とを含んで構成される。
【００４８】
図５は、補正ＭＡＰ部１６６におけるゲイン補正係数のＭＡＰを説明するための説明図である。ゲイン補正係数のＭＡＰ１８０では、図５（ａ）の如く、偏差が０のときのゲイン補正係数を１とし、偏差が正の方に大きくなるにつれゲイン補正係数を１以上の値で段階的に大きくし、偏差が負の方に大きくなるにつれゲイン補正係数を１以下の値で段階的に小さくしている。したがって、かかるＭＡＰ１８０をグラフで表すと、図５（ｂ）のようになる。ここで、横軸は偏差、縦軸はゲイン補正係数を示す。ここでは、計算負荷を軽減すべくゲイン補正係数を段階的に変化させる例を示したが、かかる場合に限られず、線形的に、または非線形に変化させることもできる。また、図５に示した数値は、あくまで例示であって、ゲイン補正係数は１を中心に様々な数値を用いることができる。
【００４９】
上述したフィードバック制御機能部１４２によって、制御状態が変化したとしても追従性は確保されるが、（３）その変更タイミングや外乱によって、空気の流量が所望した流量と異なる流量で推移することもある。ここでは、実測値と目標値とを比較し、実測値が目標値を超えているときに、その超えた量に応じてゲインを下げ、逆に、実測値が目標値に追従できていないときに、その偏差に応じてゲインを上げることで、目標値に対して細かくゲイン補正係数を変化させることができるため、フィードバック制御機能部１４２のみではオーバーシュートしがちな、また、追従しきれなかった制御範囲を適切に補足し、設定値に対するオーバーシュートを抑制することが可能となる。
【００５０】
図６は、制御装置１２８を動作させたときの制御推移の一例を示した説明図である。特に、図６（ａ）は、目標値生成部１４０を一次遅れフィルタ１５２で形成した場合を、図６（ｂ）は、目標値生成部１４０を操作入力部１２６を通じた第１伝達関数で形成した場合を示している。
【００５１】
図６（ａ）および（ｂ）に示すように、目標値生成部１４０によって、段階的な設定値を、制御対象に合わせた目標値（遅延関数および一次遅れ関数、または、操作入力による第１伝達関数の軌跡）に代えることで、制御対象の追従性を高めることができる。また、フィードバック制御機能部１４２においてゲインＭＡＰ部１６２から適切なパラメータを抽出しているので、制御対象の追従性をさらに高めることが可能となる。そして、フィードバック制御機能部１４２によってパラメータを最適化しても生じてしまう偏差に関しては、さらに、ゲイン補正機能部１４４により、目標値と実測値との偏差（プロセスの状態）に応じてゲイン補正係数が乗じられるので、より適切なＰゲインとなるように調整することができ、実測値は、設定値に対するオーバーシュートが抑えられ、目標値に近接した推移でスムーズに追従することとなる。こうして、制御対象の安定した制御を実行することが可能となる。また、目標値は、設定値の一次遅れとなるため、目標値が設定値に近づくに連れ、目標値の変化率が緩やかになり、実測値は目標値に追従するため（実測値の変化速度を目標値に制御することができるため）、設定値に対する実測値のオーバーシュートを抑制することが可能となる。
【００５２】
また、目標値生成部１４０を、操作入力部１２６を通じた第１伝達関数で形成する構成を用いると、制御対象が、一次遅れ関数といった簡易な伝達関数では近似できない場合であっても、その伝達関数の推移を自由に設定することができ、例えば、立ち上がりを早くしたい等、操作員の意志に沿って妥当な第１伝達関数を形成することが可能となる。
【００５３】
さらに、目標値生成部１４０を、操作入力部１２６を通じた第１伝達関数で形成する構成を用いると、所望する目標値の軌跡を、目標点の設定といった容易な操作入力のみで形成でき、また、その操作入力結果を操作入力部１２６を通じて視認できるので、操作員は、その推移を直感的かつ容易に把握することが可能となる。
【００５４】
（制御方法）
図７は、本実施形態にかかる循環流動層ガス化システム１００を用いた制御方法の処理の流れを示すフローチャートである。
【００５５】
図７に示すように、目標値生成部１４０は、燃焼炉１１４に供給する空気の設定値に第１伝達関数を施して目標値を生成する（Ｓ２００）。かかる第１伝達関数は、操作入力部１２６を通じて、時定数の設定があった場合、一次遅れ関数で構成し、操作入力部１２６によって目標点の設定があった場合、その目標点に基づく軌跡（隣接する目標点同士の結線）で構成される。
【００５６】
フィードバック制御機能部１４２は、目標値から実測値を減算して偏差を生成し（Ｓ２０２）、その偏差を微分および積分して偏差と加算し（Ｓ２０４）、その加算した値と、目標値に応じた適切なパラメータとを乗算して操作量を導出する（Ｓ２０６）。ゲイン補正機能部１４４は、目標値に応じたゲイン補正係数を抽出し（Ｓ２０８）、ゲイン補正係数と操作量とを乗算して新たな操作量を生成する（Ｓ２１０）。制御弁１２２は、かかる操作量に応じた開度で燃焼炉１１４に空気を供給する（Ｓ２１２）。
【００５７】
このようにして空気の流量が制御された流動媒体と燃焼ガスは、媒体分離器１１６によって、流動媒体と燃焼ガスとが分離され、分離された流動媒体がガス化炉１１０に導入される（Ｓ２１４）。ガス化炉１１０では、導入された流動媒体にガス化原料を供給し、水蒸気の存在下で流動媒体の熱によりガス化原料をガス化させる（Ｓ２１６）。そして、役目を終えた流動媒体と未反応のチャーは再び燃焼炉１１４に導入され、加熱される（Ｓ２１８）。こうして、流動媒体が、燃焼炉１１４、媒体分離器１１６、ガス化炉１１０を循環することとなる。
【００５８】
以上説明した制御方法においても、設定値に応じた適切な目標値と適切なゲイン補正とを通じて制御対象の安定した制御を実現すると共に、目標値の推移を操作員によって容易に設定することが可能となる。
【００５９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６０】
なお、本明細書の制御方法の各工程は、必ずしもフローチャートとして記載された順序に沿って時系列に処理する必要はなく、並列的あるいはサブルーチンによる処理を含んでもよい。
【産業上の利用可能性】
【００６１】
本発明は、フィードバック制御を伴う制御装置に利用することができる。
【符号の説明】
【００６２】
１００  …循環流動層ガス化システム
１１０  …ガス化炉
１１４  …燃焼炉
１１６  …媒体分離器
１１８  …誘引通風器
１２０  …燃焼炉空気導入部
１２２  …制御弁
１２４  …空気流量測定部
１２６  …操作入力部
１２８  …制御装置
１４０  …目標値生成部
１４２  …フィードバック制御機能部
１４４  …ゲイン補正機能部
【図１】
0005673242.tif 000002
【図２】
0005673242.tif 000003
【図３】
0005673242.tif 000004
【図４】
0005673242.tif 000005
【図５】
0005673242.tif 000006
【図６】
0005673242.tif 000007
【図７】
0005673242.tif 000008